(57)【要約】【課題】意図しないリヤハンドルの回動を著しく低減し、信頼性及び安全性を高める。【解決手段】回転レバー１５により、リヤハンドル７のロックを解除し得るように回動操作するには、一般的に、回転レバー１５のロック解除方向への回動を、ある程度し続ける必要があり、何かとの衝突や意図しない単なる押圧力では同方向への回転を与え続けるのは難しい。従って、回転レバー１５の回動操作により、ロックレバー２５によるリヤハンドル７のロックを解除する構成を採用することで、従来技術に比して、意図しないリヤハンドルの回動を著しく低減する。【選択図】図１０
2019068749.tif 000002
【特許請求の範囲】
【請求項１】
機体（３）と、機体（３）に搭載された駆動源（１）と、前記機体（３）の前部に突出するように設けられ前記駆動源（１）により駆動されて被切断物を切断する切断刃（４）と、前記機体（３）の後部に回動可能に連結され作業者により握られるリヤハンドル（７）と、具備し、前記リヤハンドル（７）は、作業者により操作されて回動し前記駆動源（１）の出力を調整するスロットルレバー（１３）と、前記リヤハンドル（７）の回動を止めロックするためロックレバー（２５）と、備えた手持式作業機（１００）であって、
前記リヤハンドル（７）は、前記ロックレバー（２５）及び前記スロットルレバー（１３）に作用する回転レバー（１５）を備え、
前記回転レバー（１５）の回動操作により、前記スロットルレバー（１３）の回動操作が規制されると共に、前記ロックレバー（２５）による前記リヤハンドル（７）に対するロックが解除されることを特徴とする手持式作業機（１００）。
【請求項２】
前記回転レバー（１５）は、前記ロックレバー（２５）をロックさせているロック位置（Ｒ）から非ロック位置側に回動したとき、前記スロットルレバー（１３）の増速側への回動を阻止する第１の当接部（５２）と、前記スロットルレバー（１３）が低速位置から増速側へ回動した位置にあるとき、前記回転レバー（１５）の非ロック位置側への回動を阻止する第２の当接部（５３）と、を備え、
前記スロットルレバー（１３）は、前記回転レバー（１５）の第１の当接部（５２）が当接するスロットルレバー側の第１の当接部（５０）と、前記回転レバー（１５）の第２の当接部（５３）が当接するスロットルレバー側の第２の当接部（５１）と、を備えたことを特徴とする請求項１記載の手持式作業機（１００）。
【請求項３】
前記当接部（５０、５１，５２，５３）は、各々円弧状であることを特徴とする請求項２記載の手持式作業機（１００）。
【請求項４】
前記ロックレバー（２５）は、前記リヤハンドル（７）に回動可能に連結され、
前記ロックレバー（２５）と前記回転レバー（１５）とは、ロッド（３０）により連結され、
前記ロッド（３０）の一端側は前記ロックレバー（２５）の一端側に回転自在に連結されると共に、前記ロッド（３０）の他端側は、前記回転レバー（１５）に形成された長孔（２９）に遊嵌配置され、前記回転レバー（１５）が非ロック位置側に回動すると、前記ロッド（３０）の他端側が前記長孔（２９）端に突き当たる前に、第１の当接部（５０，５２）同士が当接することを特徴とする請求項２又は３記載の手持式作業機（１００）。
【請求項５】
前記リヤハンドル（７）のグリップ部（１２）の下側にスロットルレバー（１３）を、グリップ部（１２）の上側に、スロットルレバー（１３）の操作を可能とするためのセーフティレバー（１４）をそれぞれ配置し、前記リヤハンドル（７）の上部の前記セーフティレバー（１４）の前側に前記回転レバー（１５）を配置したことを特徴とする請求項１〜４の何れか一項に記載の手持式作業機（１００）。
【請求項６】
前記回転レバー（１５）の横に、駆動源（１）を停止するための停止スイッチ（１６）を設けたことを特徴とする請求項５記載の手持式作業機（１００）。
【発明の詳細な説明】
【技術分野】
【０００１】
本発明は、手持式作業機に関する。
【背景技術】
【０００２】
従来、生け垣や植木を均一に刈り込む手持式作業機であるヘッジトリマーとして、以下の特許文献１に記載のものが知られている。この特許文献１に記載のヘッジトリマーは、機体の前部に枝葉等を切取る切断刃（切取り刃）を備えると共に、機体の後部に作業者が握るリヤハンドル（ハンドル）を備え、リヤハンドルの前部に、非作業位置から作業位置までスイング可能（揺動可能）なスロットルレバーと、このスロットルレバーを必要なときにスイング不可能にするスロットル固定レバーと、を有し、機体に搭載した原動機により切断刃を駆動しつつ、原動機の出力をスロットルレバーで調整しながら枝葉等を切取るようになっている。
【０００３】
このようなヘッジトリマーでは、作業性を向上すべく、刈り込み位置に応じてリヤハンドルが回動可能に構成されている。すなわち、リヤハンドルは、機体から延出した軸部に対して回動可能に連結されている一方で、このリヤハンドルに対してはリヤハンドルの回動を止めるための係止機構が設けられている。係止機構を操作する操作部は、リヤハンドルの後部に押圧タイプのスイッチとして設けられており、この操作部の操作（押圧）により、係止機構が後方へ移動してリヤハンドルの係止が解除されリヤハンドルの回動が可能となると共に、係止解除と同時にスロットル固定レバーがロックされ、スロットルレバーの操作が禁止されるようになっている。また、スロットルレバーの操作中にあっては、スロットル固定レバーが係止機構に係合して操作部がロックされ、リヤハンドルの回動操作が禁止されるようになっている。
【０００４】
このように、特許文献１を始めとしたヘッジトリマーにあっては、リヤハンドル回動時のスロットルレバーの操作規制、及び、スロットルレバー操作時のリヤハンドルの回動規制を行う構成を採用しており、安全性の向上を図っている。
【先行技術文献】
【特許文献】
【０００５】
【特許文献１】特開２００５−１６０３０３号公報
【発明の概要】
【発明が解決しようとする課題】
【０００６】
ここで、リヤハンドルを回動操作するにあたっては、リヤハンドルの後部の操作部を押すため、リヤハンドルの前部のスロットルレバーを握っている手を、リヤハンドルの後部へ握り直す必要がある。このように、リヤハンドルを回動する度に、リヤハンドルを握り直すことは、しっかり保持すべきリヤハンドルを一度ルーズにすることであり、ヘッジトリマーを滑って落としてしまう可能性がある。その結果、操作部が何かに衝突して押圧力が作用し、意図しないリヤハンドルの回動が生じる虞がある。
【０００７】
また、最近にあっては、リヤハンドルをほぼ握り直さずにリヤハンドルの回動操作が可能なヘッジトリマーも見かけるようになってきているが、このようなヘッジトリマーにあっても、操作部を何かの拍子でぶつけたり、意図せず押してしまったり等の単なる押圧力で、意図せずにリヤハンドルの回動が生じる虞がある。
【０００８】
本発明は、このような課題を解決するために成されたものであり、意図しないリヤハンドルの回動を著しく低減できるヘッジトリマーを始めとした手持式作業機を提供することを目的とする。
【課題を解決するための手段】
【０００９】
本発明による手持式作業機は、機体（３）と、機体（３）に搭載された駆動源（１）と、機体（３）の前部に突出するように設けられ駆動源（１）により駆動されて被切断物を切断する切断刃（４）と、機体（３）の後部に回動可能に連結され作業者により握られるリヤハンドル（７）と、具備し、リヤハンドル（７）は、作業者により操作されて回動し駆動源（１）の出力を調整するスロットルレバー（１３）と、リヤハンドル（７）の回動を止めロックするためロックレバー（２５）と、備えた手持式作業機（１００）であって、リヤハンドル（７）は、ロックレバー（２５）及びスロットルレバー（１３）に作用する回転レバー（１５）を備え、回転レバー（１５）の回動操作により、スロットルレバー（１３）の回動操作が規制されると共に、ロックレバー（２５）によるリヤハンドル（７）に対するロックが解除されることを特徴としている。
【００１０】
ここで、リヤハンドル（７）を回動させるための操作部が、従来技術のような押ボタンのようなタイプでは、意図しない押圧力が作用した場合でも、リヤハンドル（７）のロックが解除される虞があるが、本発明によれば、回転レバー（１５）が回動操作されることにより、ロックレバー（２５）に作用し、ロックレバー（２５）によるリヤハンドル（７）のロックが解除される。ここで、回転レバー（１５）が、リヤハンドル（７）のロックを解除し得るように回動操作されるには、一般的に、回転レバー（１５）のロック解除方向への回動を、ある程度し続ける必要があるため、何かとの衝突や意図しない単なる押圧力では同方向への回転を与え続けるのは難しい。従って、従来技術に比して、意図しないリヤハンドル（７）の回動を著しく低減できる。そして、このような回転レバー（１５）の回動操作によって、駆動源（１）の出力を調整するスロットルレバー（１３）に作用し、スロットルレバー（１３）の回動操作を規制しつつ、リヤハンドル（７）を回動操作でき、信頼性及び安全性を高めることができる。
【００１１】
また、回転レバー（１５）は、ロックレバー（２５）をロックさせているロック位置（Ｒ）から非ロック位置側に回動したとき、スロットルレバー（１３）の増速側への回動を阻止する第１の当接部（５２）と、スロットルレバー（１３）が低速位置から増速側へ回動した位置にあるとき、回転レバー（１３）の非ロック位置側への回動を阻止する第２の当接部（５３）と、を備え、スロットルレバー（１３）は、回転レバー（１５）の第１の当接部（５２）が当接するスロットルレバー側の第１の当接部（５０）と、回転レバー（１５）の第２の当接部（５３）が当接するスロットルレバー側の第２の当接部（５１）と、を備えているのが好ましい。
【００１２】
このような手持式作業機（１００）によれば、リヤハンドル（７）を回動すべく、回転レバー（１５）がロック位置（Ｒ）から非ロック位置側に回動したとき、回転レバー（１５）の第１の当接部（５２）がスロットルレバー（１３）の第１の当接部（５０）に当接し、スロットルレバー（１３）の増速側への回動を阻止でき、第１の当接部（５０，５２）によりスロットルレバー（１３）の回動操作を規制できる。その結果、スロットルレバー（１３）の回動操作を規制しつつ、リヤハンドル（７）を回転できる。また、スロットルレバー（１３）が低速位置から増速側へ移動した位置にあるとき、スロットルレバー（１３）の第２の当接部（５１）が回転レバー（１５）の第２の当接部（５３）に当接し、回転レバー（１５）の非ロック位置側への回動を阻止できる。その結果、スロットルレバー（１３）操作時のリヤハンドル（７）の回動を規制できる。
【００１３】
また、当接部（５０、５１，５２，５３）は、各々円弧状であると、当接がスムーズに連続し円滑な動作が可能となる。
【００１４】
また、ロックレバー（２５）は、リヤハンドル（７）に回動可能に連結され、ロックレバー（２５）と回転レバー（１５）とは、ロッド（３０）により連結され、ロッド（３０）の一端側はロックレバー（２５）の一端側に回転自在に連結されると共に、ロッド（３０）の他端側は、回転レバー（１５）に形成された長孔（２９）に遊嵌配置され、回転レバー（１５）が非ロック位置側に回動すると、ロッド（３０）の他端側が長孔（２９）端に突き当たる前に、第１の当接部（５０，５２）同士が当接するのが好ましい。
【００１５】
このような手持式作業機（１００）によれば、第１の当接部（５０，５２）同士によりスロットルレバー（１３）の回動操作が規制がされてからロックレバー（２５）が回動を始めるため、より安全性を高めることができる。
【００１６】
また、リヤハンドル（７）のグリップ部（１２）の下側にスロットルレバー（１３）を、グリップ部（１２）の上側に、スロットルレバー（１３）の操作を可能とするためのセーフティレバー（１４）をそれぞれ配置し、リヤハンドル（７）の上部のセーフティレバー（１４）の前側に回転レバー（１５）を配置するのが好ましい。
【００１７】
このような手持式作業機（１００）によれば、スロットルレバー（１３）、セーフティレバー（１４）、回転レバー（１５）がリヤハンドル（７）の前部、後部に分散されておらず、概ね前部に集められているため、配置がコンパクトとなり操作性を向上できる。特に、従来技術では、ロック解除を行う操作部がリヤハンドルの後部に設けられているため、これに比して大幅に操作性に優れている。
【００１８】
また、回転レバー（１５）の横に、駆動源（１）を停止するための停止スイッチ（１６）を設けた構成であると、配置が一層コンパクトとなり操作性を一層向上できる。
【発明の効果】
【００１９】
このように本発明によれば、意図しないリヤハンドルの回動を著しく低減でき、信頼性及び安全性を高めることができる手持式作業機を提供できる。
【図面の簡単な説明】
【００２０】
【図１】本発明の実施形態に係る手持式作業機を示す側面図である。
【図２】図１の平面図である。
【図３】図１中のリヤハンドル内を拡大して示す側面図である。
【図４】図３のIV-IV矢視図である。
【図５】リヤハンドルが回動され固定される位置を示す背面図である。
【図６】図３中の回転レバーを示す側面図である。
【図７】図３中のスロットルレバーを示す側面図である。
【図８】スロットルレバーを回動操作しフルスロットルのときのリヤハンドル内の状態を示す動作説明図である。
【図９】回転レバーをロック位置から回動操作し始めたときのリヤハンドル内の状態を示す動作説明図である。
【図１０】回転レバーを回動操作し終えロックレバーのロックが解除されリヤハンドルの回転可能状態を示す動作説明図である。
【発明を実施するための形態】
【００２１】
以下、本発明に係る手持式作業機の好適な実施形態について、添付図面を参照しながら説明する。なお、以下の説明において、上下、前後、左右等の方向を表す語は、手持式作業機を使用する作業者を基準とした方向を表すものとし、作業者にとり前方（切断刃側）を「前」と定める。
【００２２】
図１は、本発明の実施形態に係る手持式作業機を示す側面図、図２は、平面図、図３は、リヤハンドル内を拡大して示す側面図、図４は、図３のIV-IV矢視図、図５は、リヤハンドルが回動され固定される位置を示す背面図、図６は、回転レバーを示す側面図、図７は、スロットルレバーを示す側面図、図８は、スロットルレバーを回動操作しフルスロットルのときのリヤハンドル内の状態を示す動作説明図、図９は、回転レバーをロック位置から回動操作し始めたときのリヤハンドル内の状態を示す動作説明図、図１０は、回転レバーを回動操作し終えロックレバーのロックが解除されリヤハンドルの回転可能状態を示す動作説明図である。
【００２３】
図１及び図２に示すように、手持式作業機は、ここでは、ヘッジトリマーであり、このヘッジトリマー１００は、エンジン（駆動源）１を搭載しギヤケース２を含む機体３を備え、機体３の前部には、左右方向（図２の上下方向）に突出し前後方向に多数が並設された切断刃（刃物）４が設けられる。切断刃４は、エンジン１の回転運動がギヤケース２内のギヤにより往復運動に変換されて往復動し、生け垣や植木等の被切断物を均一に刈り込むようになっている。切断刃４より後方で機体３の前部には、上方を跨ぐように逆Ｕ字形状を成し、作業者の一方の手で握られるフロントハンドル（サブハンドル）５が連結されている。また、機体３の後部には、リヤハンドル取り付けフレーム６が連結されており、リヤハンドル取り付けフレーム６の後端に対して、作業者の他方の手で握られると共に、種々の操作が行われるリヤハンドル（メインハンドル）７が、回動可能に連結されている。
【００２４】
リヤハンドル７は、半割にした左右のリヤハンドル半割ケース８，９を合わせて組み立てられており、側面視略矩形環状に構成される。リヤハンドル７は、図３に示すように、その円筒状の先端部１０が、機体３から延出したリヤハンドル取り付けフレーム６の後部内に進入し、リヤハンドル取り付けフレーム６の後部内で内側に円環状に張り出す円環状の支持部１１に対して、回動可能且つ軸線方向移動不能に連結される。
【００２５】
リヤハンドル７には、上部のグリップ部１２の下側にスロットルレバー１３が配置され、グリップ部１２の上側に、セーフティレバー１４が配置されている。また、リヤハンドル７には、上部のセーフティレバー１４の前側に、回転レバー１５が配置され、回転レバー１５の左横に、エンジンを停止するための停止スイッチ１６が配置されている（図１及び図２参照）。
【００２６】
スロットルレバー１３は、エンジン１の出力を調整するためのものであり、側面視略への字状を呈している（図７参照）。スロットルレバー１３は、その折曲部が軸１７に回動可能に軸支されている。軸１７を囲繞するように捩りコイルバネ１８が配置され、捩りコイルバネ１８の付勢力により、スロットルレバー１３の一端側（後端側）は、初期状態では、グリップ部１２から下方へ突出し、作業者の親指以外の指で握るのが可能とされている。スロットルレバー１３において軸１７より上部には、側面視略への字状を呈する凸部が設けられている。への字を構成する一端側（図示左側）は、多少内側に円弧状にへこむ第１の当接部５０を構成し、への字を構成する他端側（図示右側）は、多少外側へ円弧状に膨らむ第２の当接部５１を構成している。また、スロットルレバー１３の下端には、エンジン１のキャブレターに接続され、リヤハンドル７の先端部１０を通してリヤハンドル７内に進入したスロットルワイヤ３３の一端が回転可能に連結されている。そして、スロットルレバー１３の後部側の上部には、セーフティレバー１４の下端部に対向しスロットルレバー１３の操作を規制するための凸部１９が突設されている。
【００２７】
セーフティレバー１４は、スロットルレバー１３の操作を可能とするためのものであり、側面視略Ｕ字を横にした形状を呈している。セーフティレバー１４は、その折曲部が軸２０に回動可能に軸支されている。セーフティレバー１４の一端側となる上部の下側には、捩りコイルバネ１８の一端が係止され、捩りコイルバネ１８の付勢力により、セーフティレバー１４の上部且つ後部は、初期状態では、グリップ部１２から上方へ突出し、作業者の手の平で握るのが可能とされている。このセーフティレバー１４の他端側となる下部の下端２１は、スロットルレバー１３の凸部１９が対向し、スロットルレバー１３の操作を規制するものとなっている。
【００２８】
回転レバー１５は、スロットルレバー１３の操作を規制しつつ、リヤハンドル７の回動を可能とする一方で、スロットルレバー１３の操作時のリヤハンドル７の回動を規制可能とするためのものであり、幅方向に貫通する空洞を複数有する側面視略円板状を呈し、その中心部が軸２３に回動可能に軸支されている。回転レバー１５には、軸２３を囲繞するように捩りコイルバネ２４が配置されている。回転レバー１５の上部には、リヤハンドル７外へ突出する操作部２２が設けられている。回転レバー１５の下部には、図６に示すように、側面視略逆Ｖ字状に切り欠いた凹部が設けられている。逆Ｖ字を構成する後側（図示右側）は、多少内側に円弧状にへこむ第２の当接部５３を構成し、この第２の当接部５３の後端に続く回転レバー１５の外側へ膨らむ円弧状の外周面が第１の当接部５２を構成する。この回転レバー１５の第１の当接部５２が、スロットルレバー側の第１の当接部５０と対応し、回転レバー１５の第２の当接部５３が、スロットルレバー側の第２の当接部５１と対応する。また、回転レバー１５の第１、第２の当接部５２，５３より内側には、外周面に沿うような長孔２９が開口されている。
【００２９】
そして、図３に示すように、回転レバー１５にあっては、捩りコイルバネ２４の付勢力により、初期状態では、操作部２２はロック位置Ｒに位置し、この状態で、回転レバー１５の第１、第２の当接部５２，５３の交点と、スロットルレバー１３の第１、第２の当接部５０，５１の交点とが近接する状態となっている。
【００３０】
回転レバー１５の下方、且つ、スロットルレバー１３の前方には、ロックレバー２５が配置されている。ロックレバー２５は、リヤハンドル７の回動を止めロックするためのものであり、側面視略Ｖ字を呈しさらにＶ字の後端から上方へ直線状に延びる延在部２６を有している。ロックレバー２５のＶ字と延在部２６との間の部分は、軸２７に回動可能に軸支されている。ロックレバー２５の延在部２６と回転レバーの長孔２９との間にはロッド３０が配置され、ロッド３０の一端側は延在部２６に回転可能に軸支され、他端側４１は長孔２９内に位置している。初期状態では、ロッド３０の他端側４１は長孔２９内の左端に位置している。
【００３１】
また、軸２７を囲繞するように捩りコイルバネ２８が配置され、捩りコイルバネ２８により、ロックレバー２５は図示時計回りに付勢され、ロックレバー２５の先端部３１が、リヤハンドル取り付けフレーム６に設けられ、図４に示すように、ほぼ上半分に５等配された係止溝３２の何れか所望の１つに進入して係止されロック状態となっている。すなわち、リヤハンドル７は、初期状態では、回転不能になっている。
【００３２】
このような構成のヘッジトリマー１００を用いて作業を行う場合、先ず、セーフティレバー１４を握り当該セーフティレバー１４を軸２０を支点として回動させ、セーフティレバー１４の下端２１を、スロットルレバー１３の凸部１９の対向位置から外すと共に、スロットルレバー１３を握り低速から増速させていき作業を行う。なお、図８〜図１０においては、図が煩雑になるのを避けるために、捩りコイルバネ１８，２４，２８等は省略されている。
【００３３】
ここで、スロットルレバー１３が低速位置から増速側へ移動した位置にあるとき（図３から図８へ移行するときで図８ではフルスロットルの状態を示している）、スロットルレバー１３の外側へ円弧状に膨らむ第２の当接部５１は回転レバー１５の内側へ円弧状にへこむ第２の当接部５３に当接する。従って、スロットルレバー１３により、回転レバー１５の非ロック位置側（時計回り）への回動を阻止でき、リヤハンドル７の回動を規制できる。
【００３４】
ここで、作業者がリヤハンドル７を回転させる場合には、セーフティレバー１４から手を離し、回転レバー１５の操作部２２を図８に示すロック位置Ｒから、非ロック位置側（時計回り）へ回動する。
【００３５】
すると、図９に示すように、回転レバー１５の外側へ円弧状に膨らむ第１の当接部５２が、スロットルレバー１３の内側へ円弧状にへこむ第１の当接部５０に当接する。従って、スロットルレバー１３の増速側への回動を阻止でき、スロットルレバー１３の回動操作を規制できる。作業者は、回転レバー１５をさらに同方向へ回動することにより、図１０に示すように、第１の当接部５０，５２の当接部分がより増える。
【００３６】
これと同時に、ロッド３０の他端側４１は長孔２９内の左端から右端に移動することになり、右端に達すると、ロッド３０が前側へ押し出され、ロックレバー２５が軸２７を支点とし反時計回り回動する。
【００３７】
すると、図４に示すロックレバー２５の先端部３１が、図１０に示すように、係止溝３２から外れる。従って、作業者は、リヤハンドル７を回転させ、操作部２２から手を離すことによって、捩りコイルバネ２８の付勢力により、別の係止溝３２に係止させ、図５に示す５箇所のうちの所望の位置にリヤハンドル７をセットすることができる。
【００３８】
このように、本実施形態によれば、回転レバー１５が回動操作されることにより、ロックレバー２５に作用し、ロックレバー２５によるリヤハンドル７のロックが解除されるようになっている。ここで、回転レバー１５が、リヤハンドル７のロックを解除し得るように回動操作されるには、一般的に、回転レバー１５のロック解除方向への回動を、ある程度し続ける必要があるため、何かとの衝突や意図しない単なる押圧力では同方向への回転を与え続けるのは難しい。従って、従来技術に比して、意図しないリヤハンドル７の回動を著しく低減できるようになっている。そして、このような回転レバー１５の回動操作によって、エンジン１の出力を調整するスロットルレバー１３に作用し、スロットルレバー１３の回動操作を規制しつつ、リヤハンドル７を回動操作でき、信頼性及び安全性を高めることができる。
【００３９】
また、リヤハンドル７を回動すべく、回転レバー１５がロック位置Ｒから非ロック位置側に回動したとき、回転レバー１５の第１の当接部５２がスロットルレバー１３の第１の当接部５０に当接し、スロットルレバー１３の増速側への回動を阻止でき、第１の当接部５０，５２によりスロットルレバー１３の回動操作を規制できる。その結果、スロットルレバー１３の回動操作を規制しつつ、リヤハンドル７を回転できる。また、スロットルレバー１３が低速位置から増速側へ移動した位置にあるとき、スロットルレバー１３の第２の当接部５１が回転レバー１５の第２の当接部５３に当接し、回転レバー１５の非ロック位置側への回動を阻止できる。その結果、スロットルレバー１３操作時のリヤハンドル７の回動を規制できる。
【００４０】
また、第１の当接部５０，５２、第２の当接部５１，５３は、各々円弧状のため、当接がスムーズに連続し円滑に動作するようになっている。
【００４１】
また、回転レバー１５が非ロック位置側に回動すると、ロッド３０の他端側４１が長孔２９の右端に突き当たる前に、第１の当接部５０，５２同士が当接するため、第１の当接部５０，５２同士によりスロットルレバー１３の回動操作が規制がされてからロックレバー２５が回動を始めることになり、より安全性を高めることができる。
【００４２】
また、リヤハンドル７のグリップ部１２の下側にスロットルレバー１３が、グリップ部１２の上側に、スロットルレバー１３の操作を可能とするためのセーフティレバー１４がそれぞれ配置され、リヤハンドル７の上部のセーフティレバー１４の前側に回転レバー１５が配置されているため、リヤハンドル７の前部、後部に分散されておらず、概ね前部に集められている。このため、配置がコンパクトとなり操作性を向上できる。特に、従来技術では、ロック解除を行う操作部がリヤハンドルの後部に設けられているため、これに比して大幅に操作性に優れている。
【００４３】
さらにまた、回転レバー１５の横に、エンジン１を停止するための停止スイッチ１６が配意されているため、配置が一層コンパクトとなり操作性を一層向上できる。
【００４４】
以上、本発明をその実施形態に基づき具体的に説明したが、本発明は上記実施形態に限定されるものではなく、例えば、上記実施形態においては、駆動源をエンジンとしているが、電気モータ等であっても良く、また、充電タイプに対しても適用できる。また、上記実施形態においては、特に好ましいとして、手持式作業機をヘッジトリマーとしているが、他の手持式作業機であっても勿論良い。
【符号の説明】
【００４５】
１…エンジン（駆動源）、３…機体、４…切断刃、７…リヤハンドル、１２…グリップ部、１３…スロットルレバー、１５…回転レバー、１４…セーフティレバー、１６…停止スイッチ、２５…ロックレバー、２９…長孔、３０…ロッド、４１…ロッドの他端側、５０…スロットルレバーの第１の当接部、５１…スロットルレバーの第２の当接部、５２…回転レバーの第１の当接部、５３…回転レバーの第２の当接部、１００…ヘッジトリマー（手持式作業機）、Ｒ…ロック位置。
【図１】
2019068749.tif 000003
【図２】
2019068749.tif 000004
【図３】
2019068749.tif 000005
【図４】
2019068749.tif 000006
【図５】
2019068749.tif 000007
【図６】
2019068749.tif 000008
【図７】
2019068749.tif 000009
【図８】
2019068749.tif 000010
【図９】
2019068749.tif 000011
【図１０】
2019068749.tif 000012